【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
被写体を撮像する撮像処理を行って画像データを生成する撮像手段と、
前記撮像手段によって生成される画像データに対して符号化処理を行って、符号化画像データを生成する符号化手段と、
前記符号化処理に係る設定を指定するコマンドを外部装置から受信する受信手段と、
前記受信手段によって前記コマンドが受信されると、前記撮像手段における前記撮像処理に係る設定に応じた情報を外部装置に送信する送信手段と
を備えることを特徴とする撮像装置。
【請求項２】
前記送信手段は、前記コマンドによって指定される設定が、前記撮像手段における前記撮像処理に係る設定において前記符号化処理の設定として設定可能ではない場合、前記情報として、エラーであることを示すエラーレスポンスを送信する
ことを特徴とする請求項１に記載の撮像装置。
【請求項３】
前記送信手段は、前記コマンドによって指定される設定が、前記撮像手段における前記撮像処理に係る設定において前記符号化処理の設定として設定可能である場合、前記情報として、正常レスポンスを送信する
ことを特徴とする請求項１又は２に記載の撮像装置。
【請求項４】
前記送信手段は、前記情報として、前記撮像手段における前記撮像処理に係る設定において設定可能な前記符号化処理に係る設定を示す情報を送信する
ことを特徴とする請求項１乃至３のいずれか１項に記載の撮像装置。
【請求項５】
前記送信手段は、前記コマンドによって指定される設定が、前記撮像手段における前記撮像処理に係る設定において前記符号化処理の設定として設定可能である場合、前記情報として、前記撮像手段における前記撮像処理に係る設定において設定可能な前記符号化処理に係る設定を示す情報を送信する
ことを特徴とする請求項４に記載の撮像装置。
【請求項６】
前記撮像処理に係る設定は、解像度又はフレームレートである
ことを特徴とする請求項１乃至５のいずれか１項に記載の撮像装置。
【請求項７】
前記符号化処理に係る設定は、符号化方式、解像度、又はフレームレートである
ことを特徴とする請求項１乃至６のいずれか１項に記載の撮像装置。
【請求項８】
前記受信手段は、設定可能な前記符号化処理に係る設定を通知することを要求するための通知要求を外部装置から受信し、
前記送信手段は、前記受信手段によって前記通知要求が受信されると、前記撮像手段における前記撮像処理に係る設定において設定可能な前記符号化処理に係る設定を示す情報を外部装置に送信する
ことを特徴とする請求項１乃至７のいずれか１項に記載の撮像装置。
【請求項９】
前記撮像処理に係る設定と、その撮像処理に係る設定において設定可能な前記符号化処理に係る設定とが関連付けられた情報に基づいて、前記コマンドによって指定される設定を、前記符号化処理に係る設定として設定可能であるか判定する判定手段
を備え、
前記送信手段は、前記情報として、前記判定手段による判定結果に応じた情報を、外部装置に送信する
ことを特徴とする請求項１乃至８のいずれか１項に記載の撮像装置。
【請求項１０】
前記受信手段は、前記撮像処理に係る設定と、その撮像処理に係る設定において設定可能な前記符号化処理に係る設定との組み合わせを指定するコマンドを受信し、
前記判定手段は、前記受信手段によって前記組み合わせを指定するコマンドが受信された後に、前記符号化処理に係る設定を指定するコマンドを外部装置から受信した場合、前記組み合わせに基づいて、前記コマンドによって指定される設定を、前記符号化処理に係る設定として設定可能であるか判定する
ことを特徴とする請求項９に記載の撮像装置。
【請求項１１】
前記送信手段は、前記符号化画像データを、ネットワークを介して配信する
ことを特徴とする請求項１乃至１０のいずれか１項に記載の撮像装置。
【請求項１２】
被写体を撮像する撮像処理を行う撮像手段によって生成される画像データに対して行われる符号化処理に係る設定を指定するコマンドを外部装置に送信する送信手段と、
前記コマンドの送信に応答して、前記撮像手段における前記撮像処理に係る設定において設定可能な前記符号化処理に係る設定を示す情報を外部装置から受信した場合、前記設定を示す情報を表示手段に表示可能とする表示制御手段と
を備えることを特徴とする情報処理装置。
【請求項１３】
前記撮像処理に係る設定は、解像度又はフレームレートである
ことを特徴とする請求項１２に記載の情報処理装置。
【請求項１４】
前記符号化処理に係る設定は、符号化方式、解像度、又はフレームレートである
ことを特徴とする請求項１２又は１３に記載の情報処理装置。
【請求項１５】
前記符号化処理に係る設定を示す情報は、前記コマンドによって指定される設定が、前記撮像処理に係る設定において前記符号化処理の設定として設定可能である場合に外部装置から受信される
ことを特徴とする請求項１２乃至１４のいずれか１項に記載の情報処理装置。
【請求項１６】
被写体を撮像する撮像処理を行って画像データを生成する撮像工程と、
前記撮像工程によって生成される画像データに対して符号化処理を行って、符号化画像データを生成する符号化工程と、
前記符号化処理に係る設定を指定するコマンドを外部装置から受信する受信工程と、
前記受信工程によって前記コマンドが受信されると、前記撮像工程における前記撮像処理に係る設定に応じた情報を外部装置に送信する送信工程と
を有することを特徴とする撮像方法。
【請求項１７】
被写体を撮像する撮像処理を行う撮像手段によって生成される画像データに対して行われる符号化処理に係る設定を指定するコマンドを外部装置に送信する送信工程と、
前記コマンドの送信に応答して、前記撮像手段における前記撮像処理に係る設定において設定可能な前記符号化処理に係る設定を示す情報を外部装置から受信した場合、前記設定を示す情報を表示手段に表示可能とする表示制御工程と
を有することを特徴とする情報処理方法。
【請求項１８】
請求項１乃至１１のいずれか１項に記載の撮像装置の各手段としてコンピュータを機能させることを特徴とするプログラム。
【請求項１９】
請求項１２乃至１５のいずれか１項に記載の情報処理装置の各手段としてコンピュータを機能させることを特徴とするプログラム。
【手続補正２】
【補正対象書類名】明細書
【補正対象項目名】発明の名称
【補正方法】変更
【補正の内容】
【発明の名称】撮像装置、情報処理装置、撮像方法、情報処理方法、及びプログラム
【手続補正３】
【補正対象書類名】明細書
【補正対象項目名】０００１
【補正方法】変更
【補正の内容】
【０００１】
本発明は、撮像装置、情報処理装置、撮像方法、情報処理方法、及びプログラムに関する。
【手続補正４】
【補正対象書類名】明細書
【補正対象項目名】００１１
【補正方法】変更
【補正の内容】
【００１１】
本発明の一つの側面に係る撮像装置は、被写体を撮像する撮像処理を行って画像データを生成する撮像手段と、前記撮像手段によって生成される画像データに対して符号化処理を行って、符号化画像データを生成する符号化手段と、前記符号化処理に係る設定を指定するコマンドを外部装置から受信する受信手段と、前記受信手段によって前記コマンドが受信されると、前記撮像手段における前記撮像処理に係る設定に応じた情報を外部装置に送信する送信手段とを備えることを特徴とする。
また、本発明の一つの側面に係る情報処理装置は、被写体を撮像する撮像処理を行う撮像手段によって生成される画像データに対して行われる符号化処理に係る設定を指定するコマンドを外部装置に送信する送信手段と、前記コマンドの送信に応答して、前記撮像手段における前記撮像処理に係る設定において設定可能な前記符号化処理に係る設定を示す情報を外部装置から受信した場合、前記設定を示す情報を表示手段に表示可能とする表示制御手段とを備えることを特徴とする。